(57)【特許請求の範囲】
【請求項１】
扉の錠のラッチボルト及び／又はデッドボルトを受け入れるようにした開口を有し、扉枠又は両開き扉の他の扉に取り付けれられるストライクボックスと、ラッチボルト及び／又はデッドボルトに対する係合部及び底板部を有し、ストライクボックス内で正面から見て左右方向にのみ移動可能にすると共に、所要位置に定位させるようにした調整フレームとを備えて成る調整ストライクにおいて；調整フレームの底板部に先端に円錐面部を有し外方端側に工具係止部を有する調整ねじを螺合させること；ストライクボックスの底部にＶ字状の傾斜縁部を有する受け孔を設けること；調整ねじはその円錐面部においてストライクボックスの受け孔に嵌挿させること；及び、調整フレームをストライクボックスに対し扉の開放方向に向けて付勢させることにより、調整ねじの円錐面部を受け孔におけるＶ字状をなす一対の傾斜縁部に当接係合させることを構成条件とする調整ストライク。
【請求項２】
扉の錠のラッチボックス及び／又はデッドボルトを受け入れるようにした開口を有し、扉枠又は両開き扉の他の扉に取り付けられるストライクボックスと、ラッチボルト及び／又はデッドボルトに対する係合部及び底板部を有し、ストライクボックス内で正面から見て左右方向にのみ移動可能にすると共に、所要位置に定位させるようにした調整フレームとを備えて成る調整ストライクにおいて；ストライクボックスの底部に外方端側に円錐面部及び工具係止部を有する調整ねじを螺合させること；調整フレームの底板部にＶ字状の傾斜縁部を有する受け孔を設けること；調整ねじはその円錐面部において、調整フレームの受け孔に嵌挿させること；及び、調整フレームをストライクボックスに対し扉の開放方向に向けて付勢させることにより、調整ねじの円錐面部を受け孔におけるＶ字状をなす一対の傾斜縁部に当接係合させることを構成条件とする調整ストライク。
【発明の詳細な説明】
【０００１】
【発明の属する技術分野】
この発明は、扉の錠のラッチボルト及び／又はデッドボルトを係入させるため、扉枠又は両開き扉における他の扉に取り付けられる調整ストライクに関する。
【０００２】
【従来の技術】
突出位置におけるラッチボルト及び／又はデッドボルトと調整フレームの係合部との間の位置関係を適正に調整して風や振動による扉のがたつきを排除するについて、ストライクの取付後にドライバ等の工具を用いた簡単な操作でそれを行うことができるようにした調整式のストライクとしては、例えば、実公平６−１００５３号公報又は実公平６−４９７８０号公報等に示されたものを挙げることができる。
【０００３】
しかしながら、これらによると、扉の反力を担持する偏心カムの回転モーメントによる緩みの問題があって、使用中に調整フレームがずれ動くことになり、調整操作を頻繁に行わなくてはならないという欠点がある。
【０００４】
【発明が解決しようとする課題】
この発明は、調整ねじの緩み等の回動をなくすことにより使用中における調整フレームのずれ動きを排除し、また、調整操作における操作性
あるいは調整フレームの変位における連続性の面でも他のものに劣ることのない新規な構造の調整ストライクを提供することを目的としている。
【０００５】
【課題を解決するための手段】
上記の目的を達成するため、この発明に係る請求項１の調整ストライクは、扉の錠のラッチボルト及び／又はデッドボルトを受け入れるようにした開口を有し、扉枠又は両開き扉の他の扉に取り付けれられるストライクボックスと、ラッチボルト及び／又はデッドボルトに対する係合部及び底板部を有し、ストライクボックス内で正面から見て左右方向にのみ移動可能にすると共に、所要位置に定位させるようにした調整フレームとを備えて成る調整ストライクにおいて；調整フレームの底板部に先端に円錐面部を有し外方端側に工具係止部を有する調整ねじを螺合させること；ストライクボックスの底部にＶ字状の傾斜縁部を有する受け孔を設けること；調整ねじはその円錐面部においてストライクボックスの受け孔に嵌挿させること；及び、調整フレームをストライクボックスに対し扉の開放方向に向けて付勢させることにより、調整ねじの円錐面部を受け孔におけるＶ字状をなす一対の傾斜縁部に当接係合させることを構成条件とする。
【０００６】
また、この発明に係る請求項２の調整ストライクは、扉の錠のラッチボックス及び／又はデッドボルトを受け入れるようにした開口を有し、扉枠又は両開き扉の他の扉に取り付けられるストライクボックスと、ラッチボルト及び／又はデッドボルトに対する係合部及び底板部を有し、ストライクボックス内で正面から見て左右方向にのみ移動可能にすると共に、所要位置に定位させるようにした調整フレームとを備えて成る調整ストライクにおいて；ストライクボックスの底部に外方端側に円錐面部及び工具係止部を有する調整ねじを螺合させること；調整フレームの底板部にＶ字状の傾斜縁部を有する受け孔を設けること；調整ねじはその円錐面部において、調整フレームの受け孔に嵌挿させること；及び、調整フレームをストライクボックスに対し扉の開放方向に向けて付勢させることにより、調整ねじの円錐面部を受け孔におけるＶ字状をなす一対の傾斜縁部に当接係合させることを構成条件とする。
【０００７】
【発明の実施の形態】
以下、図面に示す実施例に基いてこの発明について説明する。
この発明の調整ストライクは、扉の錠のラッチボルト及び／又はデッドボルトを扉の閉鎖時において係入させるため、扉枠又は両開き扉における他の扉に取り付けて用いるものである。
【０００８】
図１〜図３は、請求項１の発明に係る第１実施例を示しており、また、図４及び図５は請求項２の発明に係る第２実施例を示している。
【０００９】
第1実施例を示す図１〜図３において、符号１は扉１０に取り付けられた錠におけるラッチボルト２０及び／又はデッドボルトを受け入れるようにした開口１３を有するストライクボックスで、取付ねじ（図示しない）により扉枠３０又は両開き扉の他の扉に取り付けられるものである。
【００１０】
図示例のストライクボックス１は、図３に示すトロヨケ１１とストライク板１２とから成り、両者１１、１２は扉枠３０又は両開き扉の他の扉に対し共通の取付ねじで取り付けられる際に重ね合わされて、一体的に結合される。
【００１１】
符号１５はトロヨケ１１の取付ねじの嵌め孔で、正面を開口させた箱形を成すトロヨケ本体の上下両側のフランジ部１４、１４にそれぞれ設けてある。
【００１２】
符号１６はストライク板１２の上下両側に設けたねじの嵌め孔で、該ストライク板１２とトロヨケ１１とを重合させた時、トロヨケ１１のねじの嵌め孔１５と一致するようにしてある。
【００１３】
ストライクボックス１内には、少なくともラッチボルト２０及び／又はデッドボルトとの係合部３１及び底板部３２を有する例えば箱形をなす調整フレーム３が備えられており、その調整フレーム３はストライクボックス１内で正面から見て左右方向にのみ移動可能に案内されている。
【００１４】
ストライクボックス１内における調整フレーム３の左右方向への移動のための案内手段としては、図示例では、ストライクボックス１の内壁、ストライクボックス１の凹陥部１７又は切欠部１８に嵌まり合う調整フレーム３のフランジ状をなす舌片３３、３４又は３５等がその役割を果しているが、この調整フレーム用の案内手段は任意に設計することができ、他の形式のものであってもよいことは言うまでもない。
【００１５】
なお、トロヨケ１１、調整フレーム３及びストライク板１２の組付けは図３で矢印Ｐ、Ｑの順に重ね合わせるようにして行われる。
【００１６】
前述のような調整フレーム３の底板部３２に設けた雌ねじ孔には、先端側に円錐面部５１を有し外方端側（手前側）にドライバその他の操作工具の先端を係着させるための工具係着部５２を有する調整ねじ５を螺合させる。
【００１７】
図示例において、調整ねじ５の本体部分（雄ねじ部分）がねじ合わされる雌ねじ孔は、調整フレーム３の底板部３２に対しバーリング加工を施した上で形成してある。
【００１８】
一方、ストライクボックス１の底部１９、すなわちトロヨケ１１の底部１９には、Ｖ字状の傾斜縁部４１を有する受け孔４を設ける。この受け孔４はその中心線が調整フレーム３の変位方向（移動方向）に沿うようにしてストライクボックス１の底部１９に設けるを可とし、Ｖ字状をなす一対の傾斜縁部４１、４１は前記中心線を基準としてほぼ対称的に設けるものとする。
【００１９】
そして、調整ねじ５はその円錐面部５１においてストライクボックス１の受け孔４に嵌め込まれるようにし、更に、調整フレーム３をストライクボックス１に対し扉１０の開放方向に向け板ばねその他任意形式のばね６又は磁石手段（図示しない）で付勢させることにより、調整ねじ５の円錐面部５１を受け孔４におけるＶ字状をなす傾斜縁部４１に当接係合させる。
【００２０】
以上の構成の請求項１に係る第１実施例の調整ストライクにおいては、調整ねじ５をストライクボックス１の開口１３から差し込んだドライバ等の工具で右又は左回りに回すだけで、ばね６等の付勢力によって受け孔４におけるＶ字状の傾斜縁部４１、４１に当接係合している調整ねじ５における円錐面部５２が、該調整ねじ５のねじ込み深さの変化に伴って軸線方向について当接位置を変えることになるので、円錐面部５２の横断面における径の変化につれて調整フレーム３を正面からみて左又は右方向に移動させることができることになる。
【００２１】
ここに、調整フレーム３の係合部３１はラッチボルト等２０に対し適正位置が占められるように調整されることになり、扉１０の閉鎖時ラッチボルト２０等との間にがたつきを生じさせないようにすることができる。
【００２２】
次に、図４及び図５に示す第２実施例について述べる。第２実施例において図１〜図３の第１実施例と同一の符号で指し示す部材又は部位は互いに等効の部材又は部位を表している。
【００２３】
ストライクボックス１及び調整フレーム３に関し、それぞれの全体としての形状並びにそれらの組付けは第１実施例のものとほぼ同等であるから、ここでは重複を避け、それらについての説明は省略する。
【００２４】
第２実施例においては、ストライクボックス１の底部１９、すなわちトロヨケ１１の底部１９設けた雌ねじ孔に対し調整ねじ５が螺合させてあり、その調整ねじ５は外方端側（手前側）に円錐面部５１及びドライバその他の操作工具の先端を係着させるための工具係止部５２を有する。
【００２５】
図示例において、調整ねじ５の本体部分（雄ねじ部分）がねじ合わされる雌ねじ孔は、ストライクボックス１の底部１９に対しバーリング加工を施した上で形成してある。
【００２６】
一方、調整フレーム３の底板部３２には、Ｖ字状の傾斜縁部４１、４１を有する受け孔４を設ける。
【００２７】
この受け孔４はその中心線が調整フレーム３の変位方向（移動方向）に沿うように設けるを可とし、Ｖ字状をなす一対の傾斜縁部４１、４１は前記中心線を基準としてほぼ対称的に設けるものとする。
【００２８】
そして、調整ねじ５はその円錐面部５１において調整フレーム３の受け孔４に嵌め込まれるようにし、更に、調整フレーム３をストライクボックス１に対し、扉１０の開放方向に向け板ばねその他任意形式のばね６又は磁石手段（図示しない）で付勢させることにより、調整ねじ５の円錐面部５１を受け孔４におけるＶ字状をなす傾斜縁部４１に当接係合させる。
【００２９】
以上の構成の請求項２に係る第２実施例の調整ストライクにおいては、調整ねじ５をストライクボックス１の開口１３から差し込んだドライバ等の工具で右又は左回りに回すだけで、ばね６等の付勢力によって調整フレーム３の底板部３２の受け孔４におけるＶ字状の傾斜縁部４１に当接係合している調整ねじ５における円錐面部５１が該調整ねじ５のねじ込み深さの変化に伴って軸線方向について当接位置を変えることになるので、円錐面部５２の横断面における径の変化につれて調整フレーム３を正面から見て右又は左方向に移動させることができることになる。
【００３０】
ここに、第２実施例においても、調整フレーム３の係合部３１はラッチボルト２０等に対し適正位置が占められるように調整されることになり、扉１０の閉鎖時ラッチボルト２０等との間にがたつきを生じさせないようにすることができる。
【００３１】
【発明の効果】
以上に説明したこの発明の調整ストライクによれば、その使用中にストライクボックスと調整フレームとの間に調整ねじを介して調整フレームの移動方向、すなわち、正面から見て左右方向に相対的に力が作用しても、調整ねじの円錐面部とストライクボックス又は調整フレームの受け孔におけるＶ字状をなす一対の傾斜縁部との間の当接係合部分において、回転モーメントが相殺されるため、調整ねじの左右いずれの方向への回動も生ぜず、結局、調整フレームは一旦調整されたらその適正位置からずれ動いたりすることがなく、長期に亘り安定した状態で保持されるという効果を奏する。
【００３２】
更に、この発明の調整ストライクは、調整操作における操作性もよく、また、調整フレームの調整変位においては連続性を有しており、その最適位置への設定も可能とするなどの利点がある。
【図面の簡単な説明】
【図１】この発明の調整ストライクの第１実施例を示す正面図。
【図２】図１のＩＩ−ＩＩ線によるその横断平面図。
【図３】図１の第１実施例の分解正面図。
【図４】この発明の調整ストライクの第２実施例を示す正面図。
【図５】図４のＶ−Ｖ線によるその横断平面図。
【符号の説明】
１０  扉
２０  ラッチボルト
３０  扉枠
１  ストライクボックス
１３   開口
１９  底部
３  調整フレーム
３１  係合部
３２  底板部
４  受け孔
４１  傾斜縁部
５  調整ねじ
５１  円錐面部
５２  工具係止部
【図１】
0003920396.tif 000002
【図２】
0003920396.tif 000003
【図３】
0003920396.tif 000004
【図４】
0003920396.tif 000005
【図５】
0003920396.tif 000006